(57)【要約】【課題】  ポンプハウジングにタンクを簡単かつ確実に結合できるタンク一体型ポンプを提供することである。【解決手段】  ポンプハウジング１とタンク２との対向面側であって、上記ポンプハウジング１あるいはタンク２のいずれか一方にフック部８を設け、いずれか他方に掛け止め部１１を設け、ポンプハウジング１及びタンク２のそれぞれには、流通経路を構成するポートまたは筒部７を挟んで上記フック部８及び掛け止め部１１と反対側に、ロック機構となる被挟持部９，クリップ１４を設ける一方、上記フック部８に掛け止め部１１を掛け止めた状態でポンプハウジング１に対してタンク２が回動自在であり、上記フック部８と掛け止め部１１とが掛け止め状態を維持しつつ、上記ロック機構９，１４でポンプハウジング１とタンク２との結合状態を維持する構成にした。【選択図】  図２
2010007509.tif 000002
【特許請求の範囲】
【請求項１】
ポンプハウジングと、このポンプハウジングに結合するタンクとを備え、上記ポンプハウジングあるいはタンクのいずれか一方にポートを設け、いずれか他方にこのポートにはまる筒部を設け、これらポートと筒部とが相まってタンクからポンプハウジングへ流体を供給する流通経路を構成したタンク一体型ポンプにおいて、上記ポンプハウジングとタンクとの対向面側であって、上記ポンプハウジングあるいはタンクのいずれか一方にフック部を設け、いずれか他方に上記フック部に着脱可能に掛け止める掛け止め部を設け、上記ポンプハウジング及びタンクには、それぞれ上記ポートまたは筒部を挟んで上記フック部及び掛け止め部と反対側に、ロック機構を設ける一方、上記フック部に掛け止め部を掛け止めた状態でポンプハウジングに対してタンクが回動自在であり、ポンプハウジングとタンクとを結合したとき、上記フック部と掛け止め部とが掛け止め状態を維持しつつ、上記ロック機構でポンプハウジングとタンクとの結合状態を維持する構成にしたタンク一体型ポンプ。
【請求項２】
上記ロック機構は、ポンプハウジングあるいはタンクのいずれか一方に回動自在に設けたクリップと、ポンプハウジングあるいはタンクのいずれか他方に設けるとともに、上記クリップで挟まれる被挟持部とからなる請求項１記載のタンク一体型ポンプ。
【請求項３】
上記ロック機構は、ポンプハウジングとタンクとの結合状態を維持した状態で、ポンプハウジングの側面及びタンクの側面よりも内側に位置する構成にした請求項１または２に記載のタンク一体型ポンプ。
【請求項４】
上記ロック機構は、ポンプハウジング及びタンクのそれぞれに突出させて設けた被挟持部と、これら被挟持部を挟持する挟持手段とからなり、フック部に掛け止め部を掛け止めてポンプハウジングとタンクとの対向面を重ね合わせたとき、上記両被挟持部が重なり合う構成にした請求項１に記載のタンク一体型ポンプ。
【請求項５】
上記ポンプハウジングとタンクとの対向面間であって、上記ポートあるいは筒部の周囲にシール部材を設け、フック部に掛け止め部を掛けとめるとともに、上記ロック機構がポンプハウジングとタンクとの結合状態を維持しているときに、上記シール部材が弾性変形する構成にした請求項１〜４のいずれか１に記載のタンク一体型ポンプ。
【発明の詳細な説明】
【技術分野】
【０００１】
この発明は、車両のパワーステアリング装置などに用いるポンプであって、作動流体を貯留するタンクをポンプハウジングに取り付けたタンク一体型ポンプに関する。
【背景技術】
【０００２】
従来から、流体タンクを一体化したポンプがあるが、このようなポンプは、通常、タンクとポンプハウジングとを別々に形成して、後からそれらを結合している。
例えば、タンクとポンプハウジングとを簡単に結合する方法として、特許文献１に記載の方法が知られている。
この結合方法は、図４に示すように、ポンプハウジング１とタンク２とを対向させるとともに、ポンプハウジング１の両脇に一対のつば部３，４を突出させ、タンク２にも一対のつば部５，６を設けている。
そして、ポンプハウジング１とタンク２とを接合したとき、上記つば部３，４とつば部５，６とを一致させることができるようにしている。このように一致させたつば部３，４とつば部５，６とを、クリップＣ１，Ｃ２で挟んで当該タンク２をポンプハウジング１に結合させるようにしている。
【特許文献１】特開２００６−４６３４８号公報
【発明の開示】
【発明が解決しようとする課題】
【０００３】
上記従来のタンク一体型ポンプは、ポンプハウジング１とタンク２とを結合する際に、対向面の両脇からそれぞれクリップＣ１，Ｃ２でつば部を挟む必要があるが、両側のつば部をクリップＣ１，Ｃ２で挟持する方向が、タンク２をポンプハウジング１に取り付ける方向と反対であり、しかも、クリップＣ１とＣ２の取り付け方向も反対なので、これらを同時に挟持することは難しく、作業に手間がかかる。特に、ポンプハウジング１とタンク２との対向面にはＯリングなどのシール部材を設けるので、このシール部材の反発力によって、対向面には互いに離れる方向の力が作用することがある。そこで、手や治具によって上記反発力に対抗する力を加え、つば部３，５をぴったり合わせてから、さらに、両つば部３，５を合わせる押圧方向と９０°異なる方向からクリップＣ１を嵌めなければならない。
【０００４】
上記のように、シール部材の反発力が作用している状態では、先に、一方のつば部３，５をクリップＣ１で挟んだとき、これらつば部３，５と反対側のつば部４，６間がより大きく開いてしまうことがある。そのため、後から挟持する側のつば部４，６は、さらに大きな力でぴったりと接触させてから、もう一方のクリップＣ２で挟みこまなければならない。
【０００５】
つまり、上記従来のタンク一体型タポンプは、タンク２とポンプハウジング１との結合作業に手間がかかり、組立作業性が悪いという問題があった。
この発明の目的は、ポンプハウジングとタンクとを簡単かつ確実に結合できるタンク一体型ポンプを提供することである。
【課題を解決するための手段】
【０００６】
第１の発明は、ポンプハウジングと、このポンプハウジングに結合するタンクとを備え、上記ポンプハウジングあるいはタンクのいずれか一方にポートを設け、いずれか他方にこのポートにはまる筒部を設け、これらポートと筒部とが相まってタンクからポンプハウジングへ流体を供給する流通経路を構成したタンク一体型ポンプにおいて、上記ポンプハウジングとタンクとの対向面側であって、上記ポンプハウジングあるいはタンクのいずれか一方にフック部を設け、いずれか他方に上記フック部に着脱可能に掛け止める掛け止め部を設け、上記ポンプハウジング及びタンクには、それぞれ上記ポートまたは筒部を挟んで上記フック部及び掛け止め部と反対側に、ロック機構を設ける一方、上記フック部に掛け止め部を掛け止めた状態でポンプハウジングに対してタンクが回動自在であり、ポンプハウジングとタンクとを結合したとき、上記フック部と掛け止め部とが掛け止め状態を維持しつつ、上記ロック機構でポンプハウジングとタンクとの結合状態を維持する構成にした点に特徴を有する。
【０００７】
第２の発明は、第１の発明を前提とし、上記ロック機構は、ポンプハウジングあるいはタンクのいずれか一方に回動自在に設けたクリップと、ポンプハウジングあるいはタンクのいずれか他方に設けるとともに、上記クリップで挟まれる被挟持部とからなる点に特徴を有する。
第３の発明は、上記第１または第２の発明を前提とし、上記ロック機構は、ポンプハウジングとタンクとの結合状態を維持した状態で、ポンプハウジングの側面及びタンクの側面よりも内側に位置する構成にした点に特徴を有する。
【０００８】
第４の発明は、第１の発明を前提とし、上記ロック機構は、ポンプハウジング及びタンクのそれぞれに突出させて設けた被挟持部と、これら被挟持部を挟持する挟持手段とからなり、フック部に掛け止め部を掛け止めてポンプハウジングとタンクとの対向面を重ね合わせたとき、上記両被挟持部が重なり合う構成にした点に特徴を有する。
第５の発明は、上記ポンプハウジングとタンクとの対向面間であって、上記ポートあるいは筒部の周囲にシール部材を設け、フック部に掛け止め部を掛けとめるとともに、上記ロック機構がポンプハウジングとタンクとの結合状態を維持しているときに、上記シール部材が弾性変形する構成にした点に特徴を有する。
【発明の効果】
【０００９】
第１〜第５の発明によれば、フック部を掛け止め部に掛け止めれば、掛け止め状態が維持されるので、その状態でタンクをポンプハウジングに対して回動させて、フック部及び掛け止め部とは筒部を介して反対側のロック機構を容易にロックさせることができる。
従来例のポンプは、対応するつば部同士をぴったり合わせる作業をしながらクリップによって、つば部同士を合わせるための押圧方向とは異なる方向から、つば部を挟持する作業が２回必要であり、作業が煩雑であったが、この発明によれば、ロック機構によるロック作業が１回で済み、結合作業の作業性が向上する。
また、ロック機構に、従来のクリップのようなロック用の部材を用いたとしても、ポンプハウジング及びタンクと別部材となるロック用の部材は１つで足りるので、従来例と比べて、部品点数も少なくできる。
【００１０】
第２の発明では、ロック機構にクリップを用い、その一端をタンクまたはポンプに回動自在に設けたので、クリップが別部品とならないで取扱いが容易になる。また、クリップを採用することによって、ロック機構の構造を単純にできる。
第３の発明によれば、ロック機構が、ポンプハウジング及びタンクの側面よりも内側に位置するので、ポンプハウジングにタンクを結合したとき、ロック機構によってポンプの外寸法が大きくなってしまうことがない。
【００１１】
第４の発明では、タンクに設けた被挟持部とポンプハウジングに設けた被挟持部とを、重ねて挟持することによって両者を結合することができる。
第５の発明によれば、ポンプハウジングとタンクとの結合状態で、シール部材が弾性変形しているため、高いシール性を維持できる。また、結合状態において、シール部材の弾性変形によって発揮される反発力が、ポンプハウジングとタンクとの対向面間に作用して、フック部と掛け止め部との間のがたつきを防止できる。
【発明を実施するための最良の形態】
【００１２】
以下に、この発明の第１実施形態を説明する。
この第１実施形態のタンク一体型ポンプは、図１，２に示すようにポンプハウジング１の上にタンク２を載せて両者を結合したものである。タンク２の対向面には、ポンプへ流体を供給する流通経路を構成する筒部７を設け、ポンプハウジング１には、図示していないが、タンク２との対向面に上記筒部７と一致するポートを形成している。そして、上記筒部７とポートとを一致させた状態で両者を結合する。なお、上記筒部７とポートは、いずれがタンク２側であっても、ポンプハウジング１側であってもかまわない。
【００１３】
そして、上記ポンプハウジング１におけるタンク２との対向面側であって上記ポートを境にして一方には、先端を曲げたフック部８を形成し、このフック部８の反対側には平板状の被挟持部９を形成している。
また、上記対向面であって上記ポートの外側には、ゴムなどの弾性材料からなるリング状のシール部材１０を設けている。
【００１４】
一方、上記タンク２には、ポンプハウジング１と対向する対向面側であって、上記筒部７を境にして一方には上記フック部８に対して着脱可能にかけとめる掛け止め部１１を形成し、この掛け止め部１１の反対側には平板状の支持部１２を形成している。
また、支持部１２の先端付近にはピン１３を介して回動自在に、金属製のクリップ１４を取り付けている。
さらに、上記筒部７の外周には、弾性材料からなるリング状のシール部材１５を取り付けている。
そして、このシール部材１５及び、上記シール部材１０は、タンク２とポンプハウジング１とを結合したとき、対向面間で弾性変形状態を維持する構成にしている。
【００１５】
以下に、上記タンク２を、上記ポンプハウジング１に結合する手順を説明する。
まず、タンク２の掛け止め部１１を、図２のようにポンプハウジング１のフック部８に差し込むようにして掛け止めてから、このフック部８および掛け止め部１１側を回動中心としてタンク２を回動させ、両対向面を近づけて対向させる。両対向面が対向したとき、ポンプハウジング１のポートとタンク２の筒部７とが一致するとともに、被挟持部９と支持部１２とが重なり合う。両被挟持部９と支持部と１２が重なり合ったら、支持部１２に取り付けられているクリップ１４を回動させて、その先端をポンプハウジング１側の被挟持部９の裏面へ差し込み、両被挟持部９をクリップ１４の挟持力によって支持部１２にロックする。これにより、タンク一体型ポンプが完成する。
なお、この第１実施形態では、クリップ１４の一端を一方の支持部１２に取り付けているので、この支持部１２とクリップ１４とによって被挟持部９を挟んで保持し、タンク２とポンプハウジング１との結合状態を保持することになる。つまり、この第１実施形態では、上記クリップ１４と上記被挟持部９とによってこの発明のロック機構を構成している。
【００１６】
この第１実施形態では、上記掛け止め部１１をフック部８に掛け止めさえすれば、あとは、タンク２を回動させるだけで、被挟持部９と支持部１２とが重なるようにしている。そのため、被挟持部９とクリップ１４を設けた支持部１２とを一致させる際には、タンク２をポンプハウジング１側へ近づける作業だけを行なえばよく、対向面上の位置を調整する必要はない。つまり、両被挟持部９と支持部１２の位置合わせ作業が容易である。
また、ロック機構のロック作業であるクリップ１４による挟持作業も、１回のみでよいので、タンク２とポンプハウジング１との押圧方向と異なる方向にクリップを移動させる挟持作業を２回必要とする従来例と比べて、結合作業の作業性が向上する。さらに、ロック機構を構成するクリップ１４が１つで足りるので、従来と比べて部品点数も少なくできる。
さらに、この第１実施形態では、上記クリップ１４の一端をタンク２に回動自在に取り付けているので、個別の部品点数を少なくでき、部品の管理や取扱いも容易になる。
【００１７】
なお、この第１実施形態では、クリップ１４をタンク２に取り付けているが、ポンプハウジング１に取り付け、タンク２に被挟持部を設けてもかまわない。
但し、上記クリップ１４をポンプハウジング１ではなく、タンク２に取り付けることにより、以下の効果も期待できる。
【００１８】
すなわち、ポンプハウジング１は寸法精度や強度的な要求により、鋳物などで形成されるが、タンク２は樹脂や厚みの薄い金属製にして軽量化を図ることができる。そのため、軽量のタンク２の方を、ポンプハウジング１の上に載せて結合作業をする場合が多い。そのようなときに、上になるタンク２側にクリップ１４が取り付けられていれば、クリップ１４が自重で下方のポンプハウジング１側へ垂れ下がった状態となる。そのため、この第１実施形態のようにポンプ２側にクリップ１４を取り付けたほうが、下になるポンプハウジング１側に取り付けたクリップ１４が下方へ垂れ下がってタンク２から離れてしまうよりも、クリップ１４を掴んで被挟持部９を挟む作業がやり易い。
【００１９】
さらにまた、上記したように、上記ポンプハウジング１の対向面に設けたシール部材１０や上記筒部７の外周に設けたシール部材１５が、両対向面間で弾性変形する構成にしているので、高いシール性を保つことができる。また、シール部材１０，１５の反発力が両対向面に作用するため、上記掛け止め部１１とフック部８との間のがたつきをなくすこともできる。
【００２０】
なお、この第１実施形態では、タンク２の筒部７と、ポンプハウジング１のポート外周との両方に、シール部材１５，１０を設けているが、タンク２からポンプハウジング１へ流体を供給する流通経路からのもれを防止するためのシール部材は、いずれか一方でもよい。
また、上記第１実施形態では、フック部８をポンプハウジング１に設け、掛け止め部１１をタンク２に設けているが、フック部８をポンプハウジング１に設け、掛け止め部１１をタンク２に設けてもよい。
【００２１】
なお、上記第１実施形態では、ポンプハウジング１およびタンク２の側面から突出した支持部１２と、被挟持部９とを備え、支持部１２に取り付けたクリップ１４によって被挟持部９を挟持するようにしているが、クリップ１４ではなく、図４に示す従来装置のクリップＣ１を用いるとともに、上記支持部１２の代わりに被挟持部を設け、このタンク２の被挟持部と上記被挟持部９とを重ねて、クリップＣ１で同時に挟持するようにしてもよい。この場合には、一対の被挟持部とクリップＣ１とが、この発明のロック機構を構成することになる。
さらに、ロック機構としては、上記クリップ１４、Ｃ１に限らない。一対の被挟持部を重ねた状態で、これらを貫通するボルトとナットなどでロック機構を構成してもよい。
【００２２】
図３に示す第２実施形態は、ポンプハウジング１にフック部８を設け、タンク２に上記フック部８に掛け止める掛け止め部１１を設けるとともに、上記タンク２とポンプハウジング１とを結合した状態で、流体の流通経路を形成する構成は、上記第１実施形態と同じタンク一体型ポンプである。
そして、ここでは、第１実施形態と同様の構成については、第１実施形態と同じ符号を用い、個々の説明は省略する。
【００２３】
この第２実施形態では、ポンプハウジング１のフック部８の反対側に、被挟持部１６を形成しているが、この被挟持部１６は、ポンプハウジング１の側面に設けた凹部１７に隣接させて設け、その先端を、ポンプハウジング１の側面よりも内側に位置させている。
一方、タンク２の掛け止め部１１の反対側には、その一端をタンク２にピン１９によって回動自在に取り付けた鉤型のロック部材１８を設けている。
なお、上記被挟持部１６を上記ロック部材１８によって挟持した状態で、ロック部材１８もポンプハウジング１の側面より内側になるように、上記被挟持部１６の先端は、ロック部材１８の大きさに相当する分、ポンプハウジング１の側面よりさらに内側に位置するようにしている。
【００２４】
この第２実施形態のポンプも、上記フック部８に掛け止め部１１の先端を掛け止めて、タンク２をポンプハウジング１に対して回動させることができるが、掛け止め状態を維持しながら両対向面を合わせるようにすると、上記ロック部材１８と被挟持部１６とが対向するようにしている。そして、上記両対向面がほぼ一致したら、ロック部材１８をポンプハウジング１側へ回動させ、その先端側を上記ポンプハウジング１の側面に形成した凹部１７へ挿入して、上記ロック部材１８によって被挟持部１６を挟持すれば、タンク２とポンプハウジング１との結合状態を保持できる。つまり、この第２実施形態では、上記ロック部材１８と被挟持部１６とによってこの発明のロック機構を構成している。
【００２５】
そして、この第２実施形態のタンク一体型ポンプも、ポンプハウジング１とタンク２との結合作業が、従来と比べて容易になり、その作業性が向上することは、上記第１実施形態と同じである。
さらに、この第２実施形態では、被挟持部１６をポンプハウジング１の側面に形成した凹部１７に隣接させて設けるとともに、その先端を側面より内側に位置させて、ポンプハウジング１の側面から外方へ、ロック機構が突出しないようにしている。従って、この実施形態のタンク一体型ポンプは、より小型化ができ、スペースが小さい車両にも、搭載することができるようになる。
なお、この第２実施形態においても、被挟持部１６とロック部材１８とは、どちらをポンプハウジング１に設けても、タンク２に設けてもよい。
また、例えば、上記ロック部材１８の先端に爪を形成し、上記被挟持部１６に、上記爪が引っかかる凹部を設けるなどして、ロック後にロック部材１８が外れ難い構造にすることが好ましい。
【図面の簡単な説明】
【００２６】
【図１】第１実施形態の正面図である。
【図２】第１実施形態の正面図であり、タンクとポンプハウジングとの組み付け工程を説明するための図である。
【図３】第２実施形態の正面図である。
【図４】従来のタンク一体型ポンプの部分断面図である。
【符号の説明】
【００２７】
１      ポンプハウジング
２      タンク
７      筒部
８      フック部
９      被挟持部
１０    シール部材
１１    掛け止め部
１２    支持部
１３    ピン
１４    クリップ
１５    シール部材
１６    被挟持部
１７    凹部
１８    ロック部材
１９    ピン
【図１】
2010007509.tif 000003
【図２】
2010007509.tif 000004
【図３】
2010007509.tif 000005
【図４】
2010007509.tif 000006